(57)【要約】【課題】表示パネル等のパネルの吊下げ時において、当該パネルを所望の姿勢で維持することを可能ならしめる。【解決手段】パネル吊下げ器具は、パネルへの固定が可能なベース部２１と、アーム部２２と、取付け部２３と、姿勢規定部２４と、を備える。アーム部２２は、支軸２２ａによりベース部２１に回動可能に支持されている。取付け部２３は、パネルの吊下げに使用される吊下げ部材を、支軸２２ａとは異なる位置にてアーム部２２に取り付けることを可能ならしめるものである。姿勢規定部２４は、支軸２２ａ周りのアーム部２２の回動を規制して当該アーム部２２の姿勢を規定するものであり、アーム部２２に対する回動の規制位置を調整することが可能である。【選択図】図２
2017215422.tif 000002
【特許請求の範囲】
【請求項１】
パネルへの固定が可能なベース部と、
支軸により前記ベース部に回動可能に支持されたアーム部と、
前記パネルの吊下げに使用される吊下げ部材を、前記支軸とは異なる位置にて前記アーム部に取り付けることを可能ならしめる取付け部と、
前記支軸周りの前記アーム部の回動を規制して当該アーム部の姿勢を規定する姿勢規定部であって、前記アーム部に対する回動の規制位置を調整することが可能な姿勢規定部と、
を備える、パネル吊下げ器具。
【請求項２】
前記取付け部と前記姿勢規定部とは、前記支軸に対して互いに反対側に位置し、
前記アーム部は、前記パネルへの前記ベース部の固定時において当該パネルの背面に対向する対向面を有し、
前記姿勢規定部は、前記対向面から突出した突出部を有し、前記突出部は、前記対向面からの突出量を調整することが可能であり、
前記パネルの背面に前記突出部の先端が当接することにより、前記アーム部の回動が規制され、
前記突出量が調整されることにより、前記アーム部に対する前記規制位置が調整される、請求項１に記載のパネル吊下げ器具。
【請求項３】
前記取付け部と前記姿勢規定部とは、前記支軸に対して同じ片側に位置し、
前記姿勢規定部は、
前記パネルの背面に固定されると共に当該背面からの突出量を調整することが可能な突出部と、
前記突出部に設けられた係止受け部と、
前記アーム部に設けられており、前記係止受け部に係止される係止部と、
を有し、
前記係止受け部への前記係止部の係止により、前記アーム部の回動が規制され、
前記突出量が調整されることによって前記係止受け部の位置が変更され、これにより、前記アーム部に対する前記規制位置が調整される、請求項１に記載のパネル吊下げ器具。
【請求項４】
前記ベース部は、前記パネルの背面に固定されるものであり、
前記アーム部は、前記パネルへの前記ベース部の固定時において当該パネルの背面から天面上方へ迫り出す迫出し部を有し、
前記取付け部は、前記迫出し部に設けられている、請求項１〜３の何れか１つに記載のパネル吊下げ器具。
【請求項５】
前記パネルの吊下げ時における略鉛直方向についての前記取付け部の高さ位置を調整することを可能ならしめる高さ調整部を更に備える、請求項１〜４の何れか１つに記載のパネル吊下げ器具。
【請求項６】
表示パネルと、
前記表示パネルの吊下げに適用された、請求項１〜５の何れか１つに記載のパネル吊下げ器具と、
を備える、表示装置。
【請求項７】
前記パネル吊下げ器具が、前記表示パネルの背面における少なくとも左右２箇所の各々に取り付けられている、請求項６に記載の表示装置。
【発明の詳細な説明】
【技術分野】
【０００１】
本発明は、パネル吊下げ器具、及び表示パネルの吊下げにパネル吊下げ器具が適用された表示装置に関する。
【背景技術】
【０００２】
近年、表示パネルの軽量化に伴い、表示パネルを天井から吊り下げて設置することが増えつつある。そして、表示パネルの吊下げを可能にするべく、特許文献１では、表示パネルの天面にフック部を設け、当該フック部に吊下げ部材（コードやチェーン等）を取り付けて表示パネルを天井から吊り下げる技術が、特許文献１で提案されている。特許文献１では更に、表示パネルの天面におけるフック部の位置の変更を可能ならしめる機構が提案されている。
【先行技術文献】
【特許文献】
【０００３】
【特許文献１】実開平３−４３６８２号公報
【発明の概要】
【発明が解決しようとする課題】
【０００４】
しかしながら、表示パネルを吊り下げる場合、表示パネルが落下することがない様に、フック部等の吊下げ部と表示パネルとを強固に締結させておく必要がある。しかし、特許文献１の様に表示パネルの天面にフック部等の吊下げ部を設ける場合、吊下げ部と表示パネルとの強固な締結を確保することが難しい。
【０００５】
そこで、吊下げ部と表示パネルとの強固な締結を確保するべく、吊下げ部を表示パネルの背面に取り付けることが考えらえる。しかし、この構成においては、吊下げ部の位置（具体的には吊下げ部材の取付け位置）と表示パネルの重心とを通る仮想線が、表示パネルの画面に対して傾くことになる。このため、表示パネルを吊り下げたとき、表示パネルは、画面を斜め下方へ向けた姿勢にならざるを得なかった。
【０００６】
そして、画面を水平方向へ向けた所望の姿勢で表示パネルを維持するためには、壁や柱等に表示パネルの姿勢を補正するための補正構造を設ける必要があった。よって、壁や柱から離れた場所に表示パネルを吊り下げる場合には、表示パネルを所望の姿勢で維持することが困難であった。
【０００７】
そこで本発明の目的は、吊下げ時において表示パネル等のパネルを所望の姿勢で維持することを可能ならしめるパネル吊下げ器具、及び当該パネル吊下げ器具が表示パネルの吊下げに適用された表示装置を提供することである。
【課題を解決するための手段】
【０００８】
本発明に係るパネル吊下げ器具は、パネルへの固定が可能なベース部と、アーム部と、取付け部と、姿勢規定部と、を備える。アーム部は、支軸によりベース部に回動可能に支持されている。取付け部は、パネルの吊下げに使用される吊下げ部材を、支軸とは異なる位置にてアーム部に取り付けることを可能ならしめるものである。姿勢規定部は、支軸周りのアーム部の回動を規制して当該アーム部の姿勢を規定するものであり、アーム部に対する回動の規制位置を調整することが可能である。
【０００９】
上記パネル吊下げ器具によれば、アーム部に対する規制位置を調整することにより、アーム部の姿勢に応じて、取付け部の位置を変化させることができる。よって、パネルへのパネル吊下げ器具の取付け状態において、取付け部の位置を、表示パネルの重心の位置に応じて変化させることが可能となる。
【００１０】
上記パネル吊下げ器具の具体的な構成において、取付け部と姿勢規定部とは、支軸に対して互いに反対側に位置する。アーム部は、パネルへのベース部の固定時において当該パネルの背面に対向する対向面を有する。姿勢規定部は、対向面から突出した突出部を有し、突出部は、対向面からの突出量を調整することが可能である。そして、パネルの背面に突出部の先端が当接することにより、アーム部の回動が規制される。又、対向面からの突出部の突出量が調整されることにより、アーム部に対する規制位置が調整される。
【００１１】
上記パネル吊下げ器具の他の具体的な構成において、取付け部と姿勢規定部とは、支軸に対して同じ片側に位置する。姿勢規定部は、突出部と、当該突出部に設けられた係止受け部と、アーム部に設けられた係止部とを有する。ここで、突出部は、パネルの背面に固定されると共に当該背面からの突出量を調整することが可能なものである。又、係止部は、係止受け部に係止されるものである。そして、係止受け部への係止部の係止により、アーム部の回動が規制される。又、背面からの突出部の突出量が調整されることによって係止受け部の位置が変更され、これにより、アーム部に対する規制位置が調整される。
【００１２】
上記パネル吊下げ器具の他の具体的な構成において、ベース部は、パネルの背面に固定されるものであり、アーム部は、パネルへのベース部の固定時において当該パネルの背面から天面上方へ迫り出す迫出し部を有する。そして、取付け部は、迫出し部に設けられている。これにより、パネルへのパネル吊下げ器具の取付け状態において、取付け部の位置を、次の様な位置に配することが可能となる。即ち、側面視において、取付け部の位置を、パネルの重心を通り且つパネルの前面に沿う仮想的な縦方向の直線上に配することが可能となる。その結果、パネルの吊下げ時において、パネルを、その正面が略水平方向へ向けられた所望の姿勢で維持することが可能となる。
【００１３】
上記パネル吊下げ器具は、パネルの吊下げ時における略鉛直方向についての取付け部の高さ位置を調整することを可能ならしめる高さ調整部を更に備えていてもよい。これにより、パネルの吊下げ時における支軸の位置を、鉛直方向において上下に調整することが可能となる。
【００１４】
本発明に係る表示装置は、表示パネルと、当該表示パネルの吊下げに適用された上記パネル吊下げ器具と、を備える。この表示装置の具体的な構成において、パネル吊下げ器具が、表示パネルの背面における少なくとも左右２箇所の各々に取り付けられている。
【発明の効果】
【００１５】
本発明に係るパネル吊下げ器具は、表示パネル等のパネルの吊下げ時において、当該パネルを所望の姿勢で維持することを可能ならしめる。又、本発明に係る表示装置によれば、吊下げ時において表示パネルを所望の姿勢で維持することが可能になる。
【図面の簡単な説明】
【００１６】
【図１】第１実施形態に係る表示装置を背面側から見て概念的に示した斜視図である。
【図２】第１実施形態に係る表示装置が備えるパネル吊下げ器具を（ａ）右側及び（ｂ）左側のそれぞれから見て概念的に示した斜視図である。
【図３】パネル吊下げ器具が備えるアーム部について、（ａ）アーム部に対する回動の規制位置を調整する前の姿勢、及び（ｂ）当該規制位置を調整した後の姿勢をそれぞれ示した図である。
【図４】第２実施形態に係る表示装置の要部を背面側から見て概念的に示した斜視図である。
【図５】パネル吊下げ器具が備えるアーム部について、（ａ）アーム部に対する回動の規制位置を調整する前の姿勢、及び（ｂ）当該規制位置を調整した後の姿勢をそれぞれ示した図である。
【図６】（ａ）第３実施形態に係る表示装置が備えるパネル吊下げ器具を概念的に示した斜視図、及び（ｂ）そのパネル吊下げ器具の要部を概念的に示した側面図である。
【図７】第３実施形態におけるパネル吊下げ器具の他の例を示した側面図である。
【図８】他の実施形態に係る表示装置が備えるパネル吊下げ器具を概念的に示した側面図である。
【発明を実施するための形態】
【００１７】
［１］第１実施形態
［１−１］表示装置
図１は、本発明の第１実施形態に係る表示装置を背面側から見て概念的に示した斜視図である。図１に示される様に、表示装置は、表示パネル１と、当該表示パネル１の吊下げに適用された２つのパネル吊下げ器具２Ａ及び２Ｂと、を備える。
【００１８】
本実施形態では、パネル吊下げ器具２Ａ及び２Ｂは、表示パネル１の背面１１であって且つ天面１２に近い左右２箇所の位置にそれぞれ取り付けられている。尚、表示装置において、パネル吊下げ器具は、表示パネル１の背面１１における１箇所にのみ取り付けられていてもよいし、２箇所に限定されない複数箇所の各々に取り付けられていてもよい。
【００１９】
以下では、パネル吊下げ器具が表示パネル１に取り付けられた状態を、単に「パネル吊下げ器具の取付け状態」と表現する。尚、この状態は、本願特許請求の範囲に記載の「ベース部の固定時」におけるパネル吊下げ器具の状態に対応するものである。
【００２０】
［１−２］パネル吊下げ器具
図２（ａ）及び（ｂ）は、パネル吊下げ器具２Ａを右側及び左側からそれぞれ見て概念的に示した斜視図である。尚、パネル吊下げ器具２Ｂは、パネル吊下げ器具２Ａと左右対称に構成されたものであり、それ以外の構成及び動作はパネル吊下げ器具２Ａと同じである。よって、以下では、パネル吊下げ器具２Ａに着目して、その構成を具体的に説明する。
【００２１】
図２（ａ）及び（ｂ）に示される様に、パネル吊下げ器具２Ａは、ベース部２１と、アーム部２２と、取付け部２３と、姿勢規定部２４と、を備える。
【００２２】
＜ベース部＞
ベース部２１は、表示パネル１への固定が可能であり、本実施形態では表示パネル１の背面１１に固定されるものである。具体的には、ベース部２１は、Ｌ字状を呈し、互いに略垂直に連結された固定部２１１及び支持部２１２を有している。一例として、ベース部２１は、平板をＬ字状に屈曲させたものである。尚、ベース部２１は、Ｌ字状を呈したものに限らず、種々の変形が可能である。
【００２３】
固定部２１１は、表示パネル１の背面１１に固定される部分であり、背面１１への固定時にネジやボルト等の留め具が通される貫通孔２１１ａが設けられている。本実施形態では、貫通孔２１１ａは、固定部２１１の４箇所の各々に設けられている。そして、背面１１への固定部２１１の固定により、ベース部２１と表示パネル１とを強固に締結させることが可能になっている。
【００２４】
支持部２１２は、表示パネル１の背面１１へのベース部２１の固定時において、背面１１に対して略垂直に立設される部分である。そして、支持部２１２には、支軸２２ａによりアーム部２２が回動可能に支持されている。ここで、支軸２２ａは、ベース部２１の固定時において、表示パネル１の背面１１に沿って横方向（略水平方向）を向く様に設けられている。本実施形態では、ボルトにより支軸２２ａが形成されている。
【００２５】
＜アーム部＞
アーム部２２は、上述した様に支持部２１２に支持されており、アーム本体２２１と、迫出し部２２２と、対向部２２３と、を有する。
【００２６】
アーム本体２２１は、支軸２２ａにより支持部２１２に回動可能に支持された部分である。本実施形態において、アーム本体２２１は、パネル吊下げ器具２Ａの取付け状態において以下の形態となる様に構成されている。
【００２７】
先ず、ベース部２１は、表示パネル１の背面１１における天面１２に近い位置に固定される（図３（ａ）参照）。このとき、支軸２２ａは、ベース部２１の固定位置に対応して、その固定位置から後方へ離間した位置に配されることになる。そして、アーム本体２２１は、背面１１に沿って支軸２２ａの下方位置から上方へ延び、且つ、天面１２と同じ高さ位置を越えた位置（支軸２２ａの上方位置）まで達した形態となる。
【００２８】
迫出し部２２２は、パネル吊下げ器具２Ａの取付け状態において、表示パネル１の背面１１から天面１２上方へ迫り出す部分である（図３（ａ）参照）。
【００２９】
本実施形態において、アーム本体２２１と迫出し部２２２とは一枚のＬ字状平板から構成されており、当該平板が支軸２２ａに対して略垂直に配されている。そして、Ｌ字状平板は、パネル吊下げ器具２Ａの取付け状態において次の形態となる様に構成されている。即ち、当該平板は、表示パネル１の背面１１及び天面１２に対して略垂直に配されると共に、表示パネル１の背面１１から天面１２上方へＬ字状に延びた形態となる。
【００３０】
対向部２２３は、パネル吊下げ器具２Ａの取付け状態において表示パネル１の背面１１に対向する対向面２２３ａを持った部分である。本実施形態において、対向部２２３は、リブ部２２３ｂと舌片部２２３ｃとを含む。
【００３１】
リブ部２２３ｂは、アーム本体２２１及び迫出し部２２２を構成するＬ字状平板の端縁２２１ａにおいて、当該平板に対して略垂直に設けられている。ここで、端縁２２１ａは、パネル吊下げ器具２Ａの取付け状態において、表示パネル１の背面１１及び天面１２近傍にてこれらに沿うことになるＬ字状の端縁である。そして、リブ部２２３ｂにより、上記Ｌ字状平板の強度が高められている。
【００３２】
舌片部２２３ｃは、パネル吊下げ器具２Ａの取付け状態における支軸２２ａの高さ位置より下側の位置において、リブ部２２３ｂから横方向へ舌片状に突出している。本実施形態では、パネル吊下げ器具２Ａの取付け状態において下端部となるアーム本体２２１の端部２２１ｂに、これと略垂直に舌片部２２３ｃが設けられている。よって、パネル吊下げ器具２Ａの取付け状態において、舌片部２２３ｃは、表示パネル１の背面１１に対向する。そして、そのときの背面１１との対向面が、上述した対向面２２３ａとなる。
【００３３】
＜取付け部＞
取付け部２３は、表示パネル１の吊下げに使用される吊下げ部材（コードやチェーン等）を、支軸２２ａとは異なる位置にてアーム部２２に取り付けることを可能ならしめるものである。
【００３４】
本実施形態において、取付け部２３は、迫出し部２２２に設けられた貫通孔２２２ａで構成されている。具体的には、貫通孔２２２ａは、パネル吊下げ器具２Ａの取付け状態において天面１２の上方位置に配される様に、迫出し部２２２における適切な位置に設けられている。そして、この貫通孔２２２ａを利用して、吊下げ部材がアーム部２２に取り付けられる。
【００３５】
＜姿勢規定部＞
姿勢規定部２４は、支軸２２ａ周りのアーム部２２の回動を規制して当該アーム部２２の姿勢を規定するものである。具体的には、姿勢規定部２４は、アーム部２２に対する回動の規制位置（詳細については後述）を調整することが可能な構成を有しており、アーム部２２は、当該規制位置に応じた姿勢に規定される。尚、図３（ａ）は、規制位置を調整する前のアーム部２２の姿勢を示した図であり、図３（ｂ）は、規制位置を調整した後のアーム部２２の姿勢を示した図である。
【００３６】
本実施形態において、姿勢規定部２４は、ネジ孔２４１と調整ネジ２４２とから構成されている。ネジ孔２４１は、舌片部２２３ｃに設けられており、調整ネジ２４２は、舌片部２２３ｃを貫通した状態でネジ孔２４１に捻じ込まれている。そして、パネル吊下げ器具２Ａの取付け状態において、表示パネル１の背面１１に調整ネジ２４２の先端２４２ａが当接することにより、アーム部２２の回動が規制される。即ち、先端２４２ａが背面１１に当接したときの支軸２２ａ周りのネジ孔２４１の位置が、アーム部２２に対する回動の規制位置となる（図３（ｂ）参照）。
【００３７】
本実施形態では、支軸２２ａに沿う方向からの側面視（図３（ａ）及び（ｂ）参照）において、取付け部２３と姿勢規定部２４とは、支軸２２ａに対して互いに反対側に位置する。又、パネル吊下げ器具２Ａの取付け状態において、取付け部２３（貫通孔２２２ａ）は、支軸２２ａより上側且つ前側の位置に配されている。このとき、支軸２２ａ、取付け部２３（貫通孔２２２ａ）、及び表示パネル１の重心Ｐ０は、側面視において、それらの位置を頂点とする仮想的な三角形が形成される位置関係で配されることになる。
【００３８】
更に、パネル吊下げ器具２Ａの取付け状態において、姿勢規定部２４は、アーム部２２の回動可能域の範囲内で、調整ネジ２４２の先端２４２ａを表示パネル１の背面１１に当接させつつ調整ネジ２４２の捻込み量を調整することが可能となる様に、構成されている。
【００３９】
よって、表示装置の吊下げ時において取付け部２３に上向きの力が付加されたとき、その力が、アーム部２２により支軸２２ａ周りの回転力に変換される。ここで、この回転力は、支軸２２ａ周りにおいて、取付け部２３を後方へ移動させると共に、姿勢規定部２４を前方へ移動させるものである。その結果、調整ネジ２４２の先端２４２ａが表示パネル１の背面１１に当接する。これにより、アーム部２２の回動が規制されて、当該アーム部２２の姿勢が規定される。
【００４０】
上記姿勢規定部２４によれば、調整ネジ２４２の捻込み量を調整することにより、対向面２２３ａからの調整ネジ２４２の突出量Ｔ１が調整される。そして、その突出量Ｔ１が調整されることにより、アーム部２２に対する回動の規制位置（支軸２２ａ周りのネジ孔２４１の位置）が調整される。その結果、アーム部２２は、規制位置に応じた姿勢に規定される。
【００４１】
尚、本実施形態においては、調整ネジ２４２のうちの対向面２２３ａから突出した部分が、本願特許請求の範囲に記載の「突出部」に対応するものである。
【００４２】
パネル吊下げ器具２Ａによれば、上述した様にアーム部２２に対する規制位置を調整することにより、アーム部２２の姿勢に応じて、取付け部２３（貫通孔２２２ａ）の位置（以下、「取付け位置Ｐ１」と称す。）を前後に変化させることができる（図３（ａ）及び（ｂ）参照）。よって、取付け位置Ｐ１を、表示パネル１の重心Ｐ０の位置に応じて前後に変化させることが可能となる。
【００４３】
具体例として、次の様に取付け位置Ｐ１を調整することができる。先ず、２つの仮想線Ｌ１及びＬ２を考える（図３（ａ）参照）。ここで、仮想線Ｌ１は、側面視において重心Ｐ０と取付け位置Ｐ１とを通る仮想的な直線である。又、仮想線Ｌ２は、重心Ｐ０を通る線であって、表示パネル１の画面１３（前面）に沿う仮想的な縦方向の直線である。そして、図３（ｂ）に示される様に、側面視において仮想線Ｌ１が仮想線Ｌ２に略一致する様に、取付け位置Ｐ１を調整することができる。このとき、仮想線Ｌ１は、表示パネル１の画面１３（正面）に対して略平行となる。
【００４４】
そして、パネル吊下げ器具２Ａ及び２Ｂにおける上記の調整により、表示装置の吊下げ時において、表示パネル１を、その画面１３が略水平方向へ向けられた所望の姿勢で維持することが可能となる。
【００４５】
又、パネル吊下げ器具２Ａ及び２Ｂによれば、表示装置の吊下げ時において、表示パネル１を、画面１３が略水平方向へ向けられた姿勢に限らず、その姿勢から傾けられた所望の姿勢（例えば、画面１３が所定の角度で斜め下方へ向けられた姿勢）で維持することも可能となる。
【００４６】
［２］第２実施形態
図４は、第２実施形態に係る表示装置の要部を背面側から見て概念的に示した斜視図である。図４に示される様に、パネル吊下げ器具２Ａは、第１実施形態とは異なる構成を有していてもよい。尚、以下では、パネル吊下げ器具２Ａの構成のうち、第１実施形態で説明した構成とは異なる部分について具体的に説明する。
【００４７】
＜アーム部＞
図４に示される様に、アーム本体２２１は、パネル吊下げ器具２Ａの取付け状態において下端部となる端部２２１ｂにて、支軸２２ａにより支持部２１２に回動可能に支持されている。
【００４８】
対向部２２３の舌片部２２３ｃは、パネル吊下げ器具２Ａの取付け状態における支軸２２ａの高さ位置より上側の位置において、リブ部２２３ｂから横方向へ舌片状に突出している。本実施形態では、アーム本体２２１の中央部に、これと略垂直に舌片部２２３ｃが設けられている。
【００４９】
＜姿勢規定部＞
本実施形態では、姿勢規定部２４は、アーム部２２に対する回動の規制位置を調整することを可能ならしめる以下の構成を有しており、アーム部２２は、当該規制位置に応じた姿勢に規定される。尚、図５（ａ）は、規制位置を調整する前のアーム部２２の姿勢を示した図であり、図５（ｂ）は、規制位置を調整した後のアーム部２２の姿勢を示した図である。
【００５０】
姿勢規定部２４は、開口部２４３と調整ネジ２４４とから構成されている。開口部２４３は、舌片部２２３ｃに設けられており、パネル吊下げ器具２Ａの取付け状態において縦方向に拡がった形状となる長孔を有している。又、調整ネジ２４４は、パネル吊下げ器具２Ａの取付け状態において、開口部２４３に挿通されると共に、表示パネル１の背面１１に捻じ込まれて固定される。
【００５１】
具体的には、調整ネジ２４４は、螺旋状のネジ溝が形成されたネジ部２４４ａと、頭部２４４ｂとを有する。又、開口部２４３は、ネジ部２４４ａを通す一方で頭部２４４ｂの通過を阻止する形状を呈している。そして、パネル吊下げ器具２Ａの取付け状態において、開口部２４３の縁が調整ネジ２４４の頭部２４４ｂに当接することにより、アーム部２２の回動が規制される。即ち、開口部２４３の縁が頭部２４４ｂに当接したときの支軸２２ａ周りの開口部２４３の位置が、アーム部２２に対する回動の規制位置となる（図５（ｂ）参照）。
【００５２】
本実施形態では、支軸２２ａに沿う方向からの側面視（図５（ａ）及び（ｂ）参照）において、取付け部２３と姿勢規定部２４とは、支軸２２ａに対して同じ片側に位置する。又、パネル吊下げ器具２Ａの取付け状態において、取付け部２３（貫通孔２２２ａ）は、支軸２２ａより上側且つ前側の位置に配されている。このとき、支軸２２ａ、取付け部２３（貫通孔２２２ａ）、及び表示パネル１の重心Ｐ０は、側面視において、それらの位置を頂点とする仮想的な三角形が形成される位置関係で配されることになる。
【００５３】
更に、パネル吊下げ器具２Ａの取付け状態において、姿勢規定部２４は、アーム部２２の回動可能域の範囲内で、調整ネジ２４４の頭部２４４ｂに開口部２４３の縁を当接させつつ調整ネジ２４４の捻込み量を調整することが可能となる様に、構成されている。
【００５４】
よって、表示装置の吊下げ時において取付け部２３に上向きの力が付加されたとき、その力が、アーム部２２により支軸２２ａ周りの回転力に変換される。ここで、この回転力は、支軸２２ａ周りにおいて、取付け部２３を後方へ移動させると共に、姿勢規定部２４の開口部２４３をも後方へ移動させるものである。その結果、調整ネジ２４４の頭部２４４ｂに開口部２４３の縁が当接する。これにより、アーム部２２の回動が規制されて、当該アーム部２２の姿勢が規定される。
【００５５】
上記姿勢規定部２４によれば、表示パネル１の背面１１への調整ネジ２４４の捻込み量を調整することにより、背面１１からの調整ネジ２４４（主にネジ部２４４ａ）の突出量Ｔ２（即ち、背面１１からの頭部２４４ｂまでの距離）が調整される。そして、その突出量Ｔ２が調整されることによって頭部２４４ｂの位置が変更され、これにより、アーム部２２に対する回動の規制位置（支軸２２ａ周りの開口部２４３の位置）が調整される。その結果、アーム部２２は、規制位置に応じた姿勢に規定される。
【００５６】
尚、本実施形態においては、調整ネジ２４４のネジ部２４４ａのうちの表示パネル１の背面１１から突出した部分が、本願特許請求の範囲に記載の「突出部」に対応するものである。又、調整ネジ２４４の頭部２４４ｂ、及びアーム部２２に設けられた開口部２４３が、本願特許請求の範囲に記載の「係止受け部」及び「係止部」にそれぞれ対応するものである。そして、頭部２４４ｂに開口部２４３の縁が当接した状態が、「係止受け部」に「係止部」が係止された状態に対応している。
【００５７】
本実施形態で説明したパネル吊下げ器具２Ａによれば、第１実施形態と同様、アーム部２２の姿勢に応じて、吊下げ部材の取付け位置Ｐ１を前後に変化させることができる（図５（ａ）及び（ｂ）参照）。よって、取付け位置Ｐ１を、表示パネル１の重心Ｐ０の位置に応じて前後に変化させることにより、表示装置の吊下げ時において、表示パネル１を所望の姿勢で維持することが可能となる。
【００５８】
［３］第３実施形態
第３実施形態として、パネル吊下げ器具２Ａは、図６（ａ）及び（ｂ）に示された以下の構成を有していてもよい。パネル吊下げ器具２Ｂについても同様である。
【００５９】
具体的には、アーム部２２において、リブ部２２３ｂが、第１実施形態よりも横方向へ拡がっている。そして、パネル吊下げ器具２Ａの取付け状態において下端部となるリブ部２２３ｂの端部が、第１実施形態での舌片部２２３ｃに対応する部分となっている。即ち、この部分に姿勢規定部２４が構築されている。
【００６０】
又、リブ部２２３ｂのうち、パネル吊下げ器具２Ａの取付け状態において表示パネル１の天面１２と対向する端部２２３ｄに、取付け部２３が設けられている。本実施形態において、取付け部２３は、吊下げ部材（コードやチェーン等）の取付けが可能なリング部材２３１から構成されている。そして、そのリング部材２３１は、パネル吊下げ器具２Ａの取付け状態において端部２２３ｄの上側に位置する様に、高さ調整部２５を介して端部２２３ｄに設けられている。
【００６１】
図６（ｂ）に示される様に、高さ調整部２５は、リング部材２３１に連結された調整ネジ２５１と、この調整ネジ２５１に螺合した調整ナット２５２とから構成されている。調整ネジ２５１は、パネル吊下げ器具２Ａの取付け状態において端部２２３ｄの上側にリング部材２３１が配される様に、端部２２３ｄに捻じ込まれている。そして、端部２２３ｄの下側で、調整ナット２５２が調整ネジ２５１に螺合している。
【００６２】
この様な高さ調整部２５によれば、調整ネジ２５１の捻込み量、又は調整ネジ２５１に対する調整ナット２５２の螺合位置を調整することにより、端部２２３ｄから上方への調整ネジ２５１の突出量Ｔ３（図６（ｂ）参照）を調整することが可能となる。即ち、高さ調整部２５は、端部２２３ｄに対するリング部材２３１の高さ位置の調整を可能ならしめる。換言すれば、高さ調整部２５は、表示装置の吊下げ時における支軸２２ａの位置を、鉛直方向において上下に調整することを可能ならしめる。
【００６３】
そして、パネル吊下げ器具２Ａ及び２Ｂにおける上記の調整により、表示装置に吊下げ時において、表示パネル１の左右の高さ位置（例えば、床や地面からの高さ位置）をそれぞれ調整することが可能になる。これにより、表示パネル１を、左右が略同一の高さ位置に調整された所望の姿勢（即ち、正面視において画面１３が略水平に配された姿勢）で維持することが可能となる。
【００６４】
尚、第１実施形態で説明したパネル吊下げ器具２Ａにおいて、迫出し部２２２には、図７に示される様に、取付け部２３として機能し得る複数の貫通孔２２２ａが一列に配設されていてもよい。このとき、それらの配列方向は、パネル吊下げ器具２Ａの取付け状態において略鉛直方向となる方向であることが好ましい。この構成によれば、複数の貫通孔２２２ａから１つを取付け部２３として選択することができる。よって、どの貫通孔２２２ａを選択するのかによって、取付け部２３の高さ位置を調整することが可能となる。又、この構成においては、一列に配設された複数の貫通孔２２２ａが、高さ調整部２５として機能することになる。
【００６５】
［４］他の実施形態
図８に示される様に、パネル吊下げ器具２Ａは、迫出し部２２２がない構成を有していてもよい。この構成において、パネル吊下げ器具２Ａは、アーム本体２２１の上端２２１ｃの位置が表示パネル１の天面１２と同じ高さ位置又はそれより下側の位置となる様に、表示パネル１の背面１１に取り付けられることが好ましい。これにより、表示パネル１の正面視において、パネル吊下げ器具２Ａ全体を表示パネル１の背面１１に隠すことができる。パネル吊下げ器具２Ｂについても同様である。
【００６６】
この構成において、取付け部２３は、パネル吊下げ器具２Ａの取付け状態においてアーム本体２２１の上端部となる端部２２１ｄに設けられる。この様なパネル吊下げ器具２Ａによれば、表示装置の吊下げ時において、表示パネル１を、画面１３が所定の角度で斜め下方へ向けられた所望の姿勢で維持することが可能となる。
【００６７】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６８】
１  表示パネル
２Ａ、２Ｂ  パネル吊下げ器具
１１  背面
１２  天面
１３  画面
２１  ベース部
２２  アーム部
２２ａ  支軸
２３  取付け部
２４  姿勢規定部
２５  高さ調整部
２１１  固定部
２１１ａ  貫通孔
２１２  支持部
２２１  アーム本体
２２１ａ  端縁
２２１ｂ、２２１ｄ  端部
２２１ｃ  上端
２２２  迫出し部
２２２ａ  貫通孔
２２３  対向部
２２３ａ  対向面
２２３ｂ  リブ部
２２３ｃ  舌片部
２２３ｄ  端部
２３１  リング部材
２４１  ネジ孔
２４２  調整ネジ
２４２ａ  先端
２４３  開口部
２４４  調整ネジ
２４４ａ  ネジ部
２４４ｂ  頭部
２５１  調整ネジ
２５２  調整ナット
Ｌ１、Ｌ２  仮想線
Ｐ０  重心
Ｐ１  取付け位置
Ｔ１、Ｔ２、Ｔ３  突出量
【図１】
2017215422.tif 000003
【図２】
2017215422.tif 000004
【図３】
2017215422.tif 000005
【図４】
2017215422.tif 000006
【図５】
2017215422.tif 000007
【図６】
2017215422.tif 000008
【図７】
2017215422.tif 000009
【図８】
2017215422.tif 000010